(57)【特許請求の範囲】
【請求項１】
植物を培土とともに入れるための園芸ポットにおいて、
底部に連なる下側胴部と、
その下側胴部より大きな横断面形状を有して上方へ開口する上側胴部と、
それら上側胴部と下側胴部とをつなぐ段形状をなす肩部と、
その肩部に形成され、前記上側胴部の開口から差し入れられる、前記植物に関する情報を表示した表示具を先端側から受け入れて保持する保持孔と、
を備え、前記肩部に形成された前記保持孔の両端部には該保持孔が形成されていない非切込部が位置し、その非切込部によって前記表示具の誤差込に気付くことを特徴とする園芸ポット。
【請求項２】
植物を培土とともに入れるための園芸ポットにおいて、
底部に連なる下側胴部と、
その下側胴部より大きな横断面形状を有して上方へ開口する上側胴部と、
それら上側胴部と下側胴部とをつなぐ段形状をなす肩部と、
その肩部に形成され、前記上側胴部の開口から差し入れられる、前記植物に関する情報を表示した表示具を先端側から受け入れて保持する保持孔と、
を備え、前記底部から前記上側胴部の上縁部までの高さに対する前記上側胴部の高さの比は、１／３〜３／４であり、
前記肩部に形成された前記保持孔の両端部には該保持孔が形成されていない非切込部が位置し、その非切込部によって前記表示具の誤差込に気付くことを特徴とする園芸ポット。
【請求項３】
植物を培土とともに入れるための園芸ポットにおいて、
底部に連なる下側胴部と、
その下側胴部より大きな横断面形状を有して上方へ開口する上側胴部と、
それら上側胴部と下側胴部とをつなぐ段形状をなす肩部と、
その肩部に形成され、前記上側胴部の開口から差し入れられる、前記植物に関する情報を表示した表示具を先端側から受け入れて保持する保持孔と、
を備え、前記肩部と前記上側胴部とのなす角度は鋭角であることを特徴とする園芸ポット。
【請求項４】
前記上側胴部に、前記保持孔の位置を示す目印を備える請求項１ないし３のいずれか１項に記載の園芸ポット。
【請求項５】
前記肩部に複数の前記保持孔が設けられている請求項１ないし３のいずれか１項に記載の園芸ポット。
【請求項６】
前記上側胴部の内面から突出してなり、前記保持孔の両端の位置を示す一対のガイド部をさらに備え、
その一対のガイド部の間に差し入れられた前記表示具は、該ガイド部によって横方向のずれが制限され、前記保持孔へ案内される請求項１ないし３のいずれか１項に記載の園芸ポット。
【請求項７】
請求項１ないし６のいずれか一項に記載の園芸ポットを縦横に並べて、切離可能に連結したことを特徴とする連結園芸ポット。
【発明の詳細な説明】
【技術分野】
【０００１】
本発明は、園芸ポット及び連結園芸ポットに関するものである。
【背景技術】
【０００２】
従来から、植物の苗を入れて育苗に用いるために、ポリエチレンやポリプロピレン等の軟質合成樹脂で構成された園芸ポットが使用されている。育苗された植物は園芸ポットごと搬送され、店頭にて展示販売される。販売の際には、植物の名称や育て方、写真などを表示した表示具を取り付けるのが一般的である。
【０００３】
表示具は、表示部と脚部からなる立て札状のものが主に使用される。従来から、表示具を取り付ける際には、園芸ポットの内面と培土の隙間に脚部を差し込む方法が用いられてきた。しかしこの方法では表示具が簡単に抜けるので、搬送中にトラックなどの振動で抜け落ちたり、展示販売中にいたずらで引き抜かれたりする問題があった。そこで、表示具を抜けにくくするために、園芸ポットの内面と培土の隙間に脚部を差し込んだ後、ホッチキスで固定していた。しかしながらホッチキスを使用すると、大量の園芸ポットに表示具を取り付ける必要があるので、作業が大変である。
【０００４】
このような問題点を解決するために、下記特許文献１には、上端開口部の鍔部に保持孔（切込み）を設けた園芸ポットが開示されている。この園芸ポットによると、鍔部に設けた保持孔に表示具が差し込まれ、係合される。これにより、表示具が抜けにくくなる。また、ホッチキスを用いる必要が無いので取り付け作業が楽である。しかしながらこの園芸ポットは、保持孔だけで表示具を保持しているのでぐらつきやすく、前のめりに倒れたりすることがある。その結果、倒れた表示具によって苗が傷むという問題があった。
【特許文献１】実公平７−４６１２８号公報
【０００５】
また、下記特許文献２には、側壁のうち開口から所定間隔を空けた部分に凹部を形成し、その凹部の開口を望む部分（上端）に保持孔を設けた園芸ポットが開示されている。この園芸ポットによると、表示具は保持孔で保持されるとともに、側壁の内面と培土で挟まれるので、前のめりに倒れたりする不具合が生じにくい。しかしながらこの園芸ポットは、表示具を取り付ける際に保持孔が培土で埋もれているので、その保持孔の位置が分かりにくいという問題がある。また、凹部は側壁の一部分にのみ形成されているので、取り付け作業の際に、凹部が無い箇所に誤って表示具を差し込むことがある。その場合、表示具の先端が凹部の上端に突き当たらないため、作業者は、保持孔が無い箇所に表示具を差し込んでいることになかなか気付かないという不具合があった。そのため、表示具の取り付け作業を確実に、かつ容易に行える園芸ポットが望まれていた。
【特許文献２】特許第３５５６２１３号公報
【発明の開示】
【発明が解決しようとする課題】
【０００６】
本発明は、上述のような事情を背景になされたもので、特に、苗の情報を表示した表示具を確実に、かつ容易に取り付けることができる園芸ポットを提供することを課題とする。
【課題を解決するための手段および発明の効果】
【０００７】
上記課題を解決するために本発明は、
植物を培土とともに入れるための園芸ポットにおいて、
底部に連なる下側胴部と、
その下側胴部より大きな横断面形状を有して上方へ開口する上側胴部と、
それら上側胴部と下側胴部とをつなぐ段形状をなす肩部と、
その肩部に形成され、上側胴部の開口から差し入れられる、植物に関する情報を表示した表示具を先端側から受け入れて保持する保持孔と、
を備え、肩部に形成された保持孔の両端部には保持孔が形成されていない非切込部が位置し、その非切込部によって表示具の誤差込に気付くことを主要な特徴とする。
【０００８】
本発明はこのように、下側胴部と上側胴部の２段構造になっていて、この上下２段の胴部からなる収納空間に苗や種を培土とともに入れて育てる。上側胴部は下側胴部よりも大きな横断面形状を有して上方へ開口するように設けられている。また、上側胴部と下側胴部をつなぐ段形状の肩部が形成されている。そしてこの肩部には保持孔が設けられており、苗に関する情報を記載した表示具はその保持孔に差し込まれ、保持される。このようにすると、上側胴部の内面に沿って表示具を差し込んだ場合に、保持孔の形成されていない部分に誤って差し込んでしまったとしても、表示具の先端が必ず肩部に突き当たる。そのため作業者は、保持孔の無い箇所に表示具を差し込んだことを容易に気付くことができる。
【０００９】
また、表示具を取り付ける際には保持孔は培土に埋もれて見えにくくなっているので、上側胴部に保持孔の位置を示す目印を設けるとよい。より具体的には、上側胴部の上縁部に、凸部または凹部からなる目印を設けるとよい。このようにすると、目印のある部分に、上側胴部の内面に沿って表示具を差し込むだけで簡単に取り付けることができ、作業が楽になる。
【００１０】
また、上側胴部と肩部のなす角度を鋭角にするとよい。鋭角にすると、開口から差し入れられる表示具の先端が肩部に引っかかりやすくなり、取り付け作業が楽になる。
【００１１】
さらに、上側胴部の内面から突出し、且つ保持孔の両端の位置を示す一対のガイド部を設けるとよい。この一対のガイド部の間に表示具を差し込むと、表示具の左右両端がガイド部に挟まれるので横方向にずれることが無くなり、スムーズに表示具を保持孔へ入れることができるようになる。
【発明を実施するための最良の形態】
【００１２】
以下、本発明を実施するための最良の形態について、図面を参照しながら説明する。
図１に本発明に係る園芸ポット１の、苗Ｐを販売する時における斜視図を示し、図２に透視斜視図を示す。園芸ポット１はポリプロピレンやポリエチレン等の軟質合成樹脂からなり、底部３に連なる下側胴部４と、その下側胴部４より大きな横断面形状を有して上方へ開口する上側胴部５とを備える。また、それら上側胴部５と下側胴部４とをつなぐ段形状の肩部６が形成され、その肩部６に複数の保持孔７が設けられている。
【００１３】
図１に示すように、苗Ｐは培土Ｓとともに園芸ポット１に入れられ、育てられる。苗が育った後に生産者は、上側壁部５と培土Ｓの間に表示具２を差し込んで、表示具２を保持孔に取り付ける。その後、苗Ｐは園芸ポット１ごと店頭で販売される。表示具２には苗Ｐの名称や育て方、写真などが表示されており、消費者はその表示具２を見ることで、苗Ｐについての情報を得ることができる。一方、表示具２の先端には切り欠き８が形成されており、表示具２を上方へ引き抜いた時に切り欠き８が保持孔７に引っかかって抜け止めになる。これにより、苗Ｐをトラックなどで輸送した時に振動で表示具が取れることが少なくなる。また、展示販売中にいたずらで引き抜かれることも少なくなる。
【００１４】
図２に示すように、表示具２を取り付ける際には、上側胴部５の内面と培土Ｓの隙間に、表示具の先端２を差し込んで保持孔７に保持させる。肩部６は上側胴部５または下側胴部４に沿って一周するように設けられているため、取り付け作業の際に、保持孔の形成されていない部分へ表示具２を差し込んだとしても、表示具２の先端が必ず肩部６に当たる。そのため作業者は、保持孔７へ表示具を入れることができなかったことに簡単に気付くことができ、確実に表示具を取り付けることができる。
【００１５】
また、肩部６には複数の保持孔７が設けられている。これにより、例えば花が咲いた状態の苗を園芸ポット１ごと販売する場合には、消費者に対して花を向け、その花の手前か又は真後ろになる位置に、表示具２を取り付けることができる。つまり、複数の保持孔７が形成されているので、その中から最適な位置を選んで表示具２を取り付けることが可能となる。これによって、販売時には苗の見栄えが最もよくなる向きを消費者に見せることが可能となり、その結果、消費者の購買意欲を高めることができる。
【００１６】
なお、図２の実施形態では４個の保持孔７を設けたが、肩部６に沿ってより多くの保持孔を設けることもできる。例えば図１０に示すように８個の保持孔７を形成すると、花の向いた方向に応じて、表示具の取り付け位置を微妙に調整することが可能となる。しかしながら保持孔７の数が多すぎると、肩部６の強度が弱くなり、園芸ポット１が上下に少し引っ張られただけで破れてしまう場合がある。そのため、保持孔の数は４個〜１２個程度とするのが望ましい。
【００１７】
次に、図３Ａに園芸ポット１の断面図を示し、図３Ｂにその要部拡大図を示す。このように、肩部６の保持孔７に差し入れられた表示具２は、上側胴部５の内面と培土Ｓによって挟まれるので、少々の振動では倒れない。そのため、倒れた表示具２によって苗Ｐが傷つくようなこともない。
【００１８】
図３Ａ，Ｂの実施形態においては、肩部６と上側胴部５のなす角度θ１は、直角に近い鈍角とされている。これと異なる実施形態を図３Ｃの断面図に示し、その要部拡大図を図３Ｄに示す。このように図３Ｃ，Ｄの園芸ポットでは、肩部６と上側胴部５のなす角度θ２が鋭角にされている。角度θ２を鋭角にしたことにより、表示具２を取り付ける際に表示具２の先端が引っかかりやすくなり、取り付け作業が楽になる。角度θ２は、小さすぎると逆に引っかかりにくくなるので、例えば３０°〜８０°程度とするのが好ましく、４０°〜７０°がさらに好ましい。
【００１９】
なお、上述したように、表示具２を取り付ける際には、保持孔７は培土Ｓに埋もれており、位置が分かりにくい。その問題を解決するため、図４Ａに示すように、上側胴部５の上縁部ＵＥに目印９を設けた。このようにすると、保持孔７が培土Ｓに埋もれていても、目印９のある位置に表示具２を差し込めば、表示具２の先端を簡単に保持孔７へ入れることができる。
【００２０】
図４Ａと異なる実施形態を図４Ｂ及び図４Ｃにそれぞれ示す。これらの図は、園芸ポットの要部を拡大した透視斜視図である。まず図４Ｂであるが、この実施形態は、保持孔７の両端を示す位置に２つの目印９ａ，９ｂを備えている。取り付け作業の際には、２つの目印９ａ，９ｂの間を狙って表示具２を差し込むことによって、培土に埋もれている保持孔７に難なく差し込むことができる。また、図４Ｃに示すように、保持孔７と略同じ長さを有する目印９ｃを設けてもよい。このようにすると、どこからどこまでが保持孔７の空いている部分なのか一目で分かるようになり、間違えて保持孔７の空いていない部分に差し込むことが無くなる。なお、図４Ａ〜図４Ｃの実施形態では凸状の目印としたが、上縁部ＵＥを窪ませた凹状の目印にしてもよい。また、図４Ｄに示すように、上側胴部５の内面から凹む（外面方向に突出する）目印９ｄを、保持孔７の両端の位置を示すように設けてもよい。
【００２１】
さらに、図５Ａに示すように、上側胴部５の内面から突出する一対のガイド部１０を設けてもよい。この一対のガイド部１０は、それぞれが保持孔７の両端を示す位置に設けられているので、表示具２の取り付け作業においては、培土Ｓに埋もれている保持孔７の目印になる。また、ガイド部１０は上縁部ＵＥから肩部にわたって設けられている。表示具２を取り付ける際には、図５Ｂ，Ｃに示すように、一対のガイド部１０の間に表示具２を入れ、ガイド部１０に沿ってスライドさせながら保持孔７へ差し込む。このようにすると、表示具２の先端が横方向にずれることがないので、確実に保持孔７へ差し込むことが可能となる。
【００２２】
また、図６Ａに示すように、表示具２を差し込む位置を示す目印９を別に設けてもよい。特に、保持孔７を多数（例えば８個〜１２個）設けた場合、多数のガイド部１０が形成され、隣接するガイド部１０のうち、どの間に表示具２を入れるべきか分からなくなってしまう場合がある。しかしながら図６Ａのようにすれば、表示具２を入れるべき位置が明確になる。
【００２３】
なお、以上図示した実施形態はブロー成形又は真空成形によって製造したものであるが、射出成形によって製造してもよい。その場合、図６Ｂに示すように、上側胴部５を外側から見てもガイド部１０が形成された箇所が凹まないように、園芸ポット１を成形できる。
【００２４】
以上説明した実施形態では上側胴部５および下側胴部４を横断面円形としたが、本発明はこれに限定されるものではない。例えば図７Ａに示すように下側胴部４を横断面円形とし、上側胴部５を横断面四角形にするとともに、肩部を平面視円形に形成することができる。さらには、図７Ｂに示すように上側胴部５および下側胴部４をともに横断面四角形にしてもよく、図８Ａのように上側胴部５を横断面四角形、下側胴部４を横断面円形としてもよい。また、図８Ｂに示すように上側胴部５を横断面円形とし、下側胴部４を横断面四角形としてもよい。これら図７，図８に加えて、上述の目印９やガイド部１０をさらに設けてもよい。
【００２５】
なお、園芸ポット１の全体の高さ（底部３から上側縁部ＵＥまでの高さ）に対する、上側胴部５の高さ（上側胴部ＵＥから肩部までの高さ）の比は、１／３〜３／４であることが望ましい。全体の高さに対する上側胴部５の高さの比が１／３よりも小さくなると、肩部６が培土Ｓの表面から浅い場所に位置することになり、取り付けた表示具２が倒れやすくなる。また、３／４よりも大きくなると、肩部６が培土Ｓの表面から深すぎて、表示具を取り付けにくくなる。
【００２６】
図９Ａは、上側胴部５の上縁に鍔部１１を設け、その鍔部１１から肩部６にかけて目印９ｄを形成したものである。この目印９ｄは上側胴部５の内面から凹む（外面方向には突出する）形状とされ、各保持孔７の両端を示す位置に設けられている。作業者は、これらの目印９ｄのある箇所に、上側胴部５の内面に沿って表示具２を差し込むことにより、保持孔７が培土Ｓに埋もれて見えなくなっていても容易に取り付け作業をすることができる。
【００２７】
また、図９Ｂは複数の園芸ポット１を縦横に繋げて複数一体化した連結園芸ポット１２の平面図である。隣接する園芸ポット１は鍔部１１において、切離し可能に連結されている。店頭で苗Ｐを販売する時には、一つ一つの園芸ポット１が切離された状態で、トレイに入れられて展示販売されるのが一般的である。そのため、生産者はトレイに園芸ポット１を入れる必要があるが、上述のように複数の園芸ポット１が連結した連結園芸ポット１２を用いると、一つ一つ入れる必要が無く、一度にトレイに入れることができる。つまり、各園芸ポット１の鍔部１１の間を一度に切離すことが可能な切離具を用意しておく。その切離具をトレイの上方に配置し、連結園芸ポット１２を切離具にセットして鍔部１１を一度に切離すとともに、そのまま切離された各園芸ポット１をトレイに入れるのである。これにより、複数の園芸ポット１を一度にトレイに入れることが可能となり、作業効率が大幅にアップする。
【００２８】
以上説明したように本発明の園芸ポットは、上側胴部５と下側胴部４の２段構造となっており、苗Ｐや培土Ｓの収納空間をぐるりと取り囲むように肩部６が形成されている。そして、肩部６に保持孔７を設けている。そのため、上側胴部５の内面に沿って表示具２を差し込めば、必ず先端が肩部６に当たることになり、保持孔７に先端が入らなかった場合に、容易に気付くことができる。また、肩部６に複数の保持孔７を設けたので、出荷時には、消費者に対して最も見栄えのよい方向に苗Ｐを向けるとともに、その苗Ｐの手前または真後ろに位置するように表示具２を取り付けることが可能となる。さらに、表示具２の取り付け作業においては培土Ｓで保持孔７が埋もれて見えなくなっているが、上側胴部５に目印９を設けたので、保持孔７の位置が分かりやすくなっている。また、上側胴部５の内面に一対のガイド部１０を設けたので、作業者はこのガイド部１０を目印にして表示具２を取り付けることが可能となる。また、表示具２をガイド部１０に沿ってスライドさせることにより、横方向にずれることなく、確実に保持孔７に差し込むことができる。
【図面の簡単な説明】
【００２９】
【図１】販売時における園芸ポット１の斜視図。
【図２】園芸ポット１の透視斜視図。
【図３】図Ａ，図Ｂは園芸ポット１の断面図およびその要部拡大図であり、Ｃ図，Ｄ図は角度θ２を鋭角にした断面図及びその要部拡大図である。
【図４】図Ａ〜図Ｄは、上側胴部５の上端部ＵＥにそれぞれ別の目印９を設けた実施形態である。
【図５】図Ａはガイド部１０を設けた園芸ポット１の拡大斜視図であり、図Ｂ及び図Ｃは表示具２の取り付け作業の説明図である。
【図６】図Ａ，図Ｂはガイド部１０と目印９を設けた園芸ポット１の実施形態である。
【図７】図Ａ，図Ｂはそれぞれ、本発明に係る園芸ポット１の別の実施形態である。
【図８】図Ａ，図Ｂはそれぞれ、本発明に係る園芸ポット１の別の実施形態である。
【図９】図Ａは鍔部１１および目印９ｄを設けた園芸ポット１の斜視図であり、図Ｂは連結園芸ポット１２の平面図である。
【図１０】８個の保持孔７を設けた園芸ポット１の斜視図である。
【符号の説明】
【００３０】
１  園芸ポット
２  表示具
３  底部
４  下側胴部
５  上側胴部
６  肩部
７  保持孔
８  切り欠き
９  目印
１０  ガイド部
１１  鍔部
１２  連結園芸ポット
Ｐ  苗
Ｓ  培土
【要約】
【課題】苗の情報を表示した表示具を確実に、かつ容易に取り付けることができる園芸ポットを提供する。
【解決手段】底部に連なる下側胴部と、その下側胴部より大きな横断面形状を有して上方へ開口する上側胴部を備える。また、それら上側胴部と下側胴部とをつなぐ段形状をなす肩部を備える。さらに、その肩部に形成され、上側胴部の開口から差し入れられる、植物に関する情報を表示した表示具を先端側から受け入れて保持する保持孔を備える。上側胴部に沿って表示具を差し込めば、保持孔の無い箇所に入れたとしても、必ず肩部に当たるので、誤った箇所に差し込んだことに簡単に気付くことができる。
【選択図】図１
【図１】
0003676359.tif 000002
【図２】
0003676359.tif 000003
【図３】
0003676359.tif 000004
【図４】
0003676359.tif 000005
【図５】
0003676359.tif 000006
【図６】
0003676359.tif 000007
【図７】
0003676359.tif 000008
【図８】
0003676359.tif 000009
【図９】
0003676359.tif 000010
【図１０】
0003676359.tif 000011